【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
少なくとも１つの選択対象のオブジェクトを表示領域に表示する表示手段と、
操作者が操作する指示部の前記表示領域に対する２次元の接触位置を検出する第１の検出手段と、
前記表示領域の表示面に垂直な方向を含む空間内の、操作者が操作する指示部の３次元の位置を検出する第２の検出手段と、
前記第１の検出手段によって前記表示領域に対する前記指示部の接触位置を検出したとき、当該接触位置に従って、前記表示手段で表示されたオブジェクトのいずれが前記指示部で選択されたのかを判別する判別手段と、
前記第１の検出手段によって前記表示領域に対する前記指示部の接触位置を検出したとき、前記第２の検出手段で検出した指示部の３次元の位置の中で、前記接触位置に最も近い指示部を追跡対象として決定する決定手段と
を備えることを特徴とする情報処理装置。
【請求項２】
更に、前記決定手段で追跡対象として決定された指示部が前記第２の検出手段による検出範囲から外れた場合、当該指示部を追跡対象外としてリセットする手段を備えることを特徴とする請求項１に記載の情報処理装置。
【請求項３】
前記表示手段に表示されるオブジェクトには、追跡を強制的にキャンセルすることを指示する特定オブジェクトが含まれ、
更に、決定手段で追跡対象として決定した指示部の追跡中に、追跡している指示部による前記表示領域の前記特定オブジェクトの位置への接触を前記第１の検出手段で検出したとき、当該指示部を追跡対象外としてリセットする手段を備えることを特徴とする請求項１に記載の情報処理装置。
【請求項４】
前記第２の検出手段は、前記表示領域の２次元平面から所定距離だけ隔てた位置に設けられ、少なくとも前記表示領域を撮影視野内にした３次元画像距離検出手段であることを特徴とする請求項１又は３のいずれか１項に記載の情報処理装置。
【請求項５】
少なくとも１つの選択対象のオブジェクトを表示領域に表示する表示手段と、
操作者が操作する指示部の前記表示領域に対する２次元の接触位置を検出する第１の検出手段と、
少なくとも前記表示領域の２次元平面に対して予め定められた距離だけ隔てた位置に設けられ、前記表示領域を撮影視野内にして画像を検出する第２の検出手段と、
前記第１の検出手段によって前記表示領域に対する前記指示部の接触位置を検出したとき、当該接触位置に従って、前記表示手段で表示されたオブジェクトのいずれが前記指示部で選択されたのかを判別する判別手段と、
前記第１の検出手段によって前記表示領域に対する前記指示部の接触位置を検出したとき、前記第２の検出手段で検出した画像内の指示部の中で、前記接触位置に最も近い指示部を追跡対象として決定する決定手段と
を備えることを特徴とする情報処理装置。
【請求項６】
更に、前記決定手段で追跡対象として決定された指示部が前記第２の検出手段による視野範囲から外れた場合、当該指示部を追跡対象外としてリセットする手段を備えることを特徴とする請求項５に記載の情報処理装置。
【請求項７】
前記表示手段に表示されるオブジェクトには、追跡を強制的にキャンセルすることを指示する特定オブジェクトが含まれ、
更に、決定手段で追跡対象として決定した指示部の追跡中に、追跡している指示部による前記表示領域の前記特定オブジェクトの位置への接触を前記第１の検出手段で検出したとき、当該指示部を追跡対象外としてリセットする手段を備えることを特徴とする請求項５に記載の情報処理装置。
【請求項８】
少なくとも１つの選択対象のオブジェクトを表示領域に表示する表示手段と、
操作者が操作する指示部の前記表示領域に対する２次元の接触位置を検出する第１の検出手段と、
前記表示領域の表示面に垂直な方向を含む空間内の、操作者が操作する指示部の３次元の位置を検出する第２の検出手段とを備える情報処理装置の制御方法であって、
判別手段が、前記第１の検出手段によって前記表示領域に対する前記指示部の接触位置を検出したとき、当該接触位置に従って、前記表示手段で表示されたオブジェクトのいずれが前記指示部で選択されたのかを判別する判別工程と、
決定手段が、前記第１の検出手段によって前記表示領域に対する前記指示部の接触位置を検出したとき、前記第２の検出手段で検出した指示部の３次元の位置の中で、前記接触位置に最も近い指示部を追跡対象として決定する決定工程と
を備えることを特徴とする情報処理装置の制御方法。
【請求項９】
少なくとも１つの選択対象のオブジェクトを表示領域に表示する表示手段と、
操作者が操作する指示部の前記表示領域に対する２次元の接触位置を検出する第１の検出手段と、
少なくとも前記表示領域の２次元平面に対して予め定められた距離だけ隔てた位置に設けられ、前記表示領域を視野範囲内にして画像を検出する第２の検出手段とを備える情報処理装置の制御方法であって、
判別手段が、前記第１の検出手段によって前記表示領域に対する前記指示部の接触位置を検出したとき、当該接触位置に従って、前記表示手段で表示されたオブジェクトのいずれが前記指示部で選択されたのかを判別する判別工程と、
決定手段が、前記第１の検出手段によって前記表示領域に対する前記指示部の接触位置を検出したとき、前記第２の検出手段で検出した画像内の指示部の中で、前記接触位置に最も近い指示部を追跡対象として決定する決定工程と
を備えることを特徴とする情報処理装置の制御方法。
【請求項１０】
少なくとも１つの選択対象のオブジェクトを表示領域に表示する表示手段と、
操作者が操作する指示部の前記表示領域に対する２次元の接触位置を検出する第１の検出手段と、
前記表示領域の表示面に垂直な方向を含む空間内の、操作者が操作する指示部の３次元の位置を検出する第２の検出手段とを備えるコンピュータを、
前記第１の検出手段によって前記表示領域に対する前記指示部の接触位置を検出したとき、当該接触位置に従って、前記表示手段で表示されたオブジェクトのいずれが前記指示部で選択されたのかを判別する判別手段、
前記第１の検出手段によって前記表示領域に対する前記指示部の接触位置を検出したとき、前記第２の検出手段で検出した指示部の３次元の位置の中で、前記接触位置に最も近い指示部を追跡対象として決定する決定手段
として機能させるためのプログラム。
【請求項１１】
少なくとも１つの選択対象のオブジェクトを表示領域に表示する表示手段と、
操作者が操作する指示部の前記表示領域に対する２次元の接触位置を検出する第１の検出手段と、
少なくとも前記表示領域の２次元平面に対して予め定められた距離だけ隔てた位置に設けられ、前記表示領域を視野範囲内にして画像を検出する第２の検出手段とを備えるコンピュータを、
前記第１の検出手段によって前記表示領域に対する前記指示部の接触位置を検出したとき、当該接触位置に従って、前記表示手段で表示されたオブジェクトのいずれが前記指示部で選択されたのかを判別する判別手段、
前記第１の検出手段によって前記表示領域に対する前記指示部の接触位置を検出したとき、前記第２の検出手段で検出した画像内の指示部の中で、前記接触位置に最も近い指示部を追跡対象として決定する決定手段
として機能させるためのプログラム。
【請求項１２】
請求項１０又は１１に記載のプログラムを記録したコンピュータが読み取り可能な記録媒体。
【手続補正２】
【補正対象書類名】明細書
【補正対象項目名】００１４
【補正方法】変更
【補正の内容】
【００１４】
この課題を解決するため、例えば本発明の情報処理装置は以下の構成を備える。すなわち、
少なくとも１つの選択対象のオブジェクトを表示領域に表示する表示手段と、
操作者が操作する指示部の前記表示領域に対する２次元の接触位置を検出する第１の検出手段と、
前記表示領域の表示面に垂直な方向を含む空間内の、操作者が操作する指示部の３次元の位置を検出する第２の検出手段と、
前記第１の検出手段によって前記表示領域に対する前記指示部の接触位置を検出したとき、当該接触位置に従って、前記表示手段で表示されたオブジェクトのいずれが前記指示部で選択されたのかを判別する判別手段と、
前記第１の検出手段によって前記表示領域に対する前記指示部の接触位置を検出したとき、前記第２の検出手段で検出した指示部の３次元の位置の中で、前記接触位置に最も近い指示部を追跡対象として決定する決定手段とを備える。